【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
ベースから立ち上がる本体に、金属支柱でランプソケットを固定、支柱をタッチセンサーとするタッチ式点滅ランプ及び、目覚し時計を具備した構造を共通とし、付加機能部として、地震発生と同時にランプが一定時間自動点灯する、地震検知ランプ機能を特徴とする電気スタンド。
【請求項２】
前記の付加機能部として、夜間のみランプが自動的に不規則点滅する、在宅偽装ランプ機能を特徴とする電気スタンド。
【請求項３】
前記の付加機能部として、タイマー式オゾン発生器によるオゾン消臭、除菌機能を特徴とする電気スタンド。
【請求項４】
前記の付加機能部として、メモ代わりに音声を録音、時計のタイマー信号による再生及び、操作ボタン信号により反復再生停止させることが出来る、ボイスメモ目覚し機能を特徴とする電気スタンド。
【請求項５】
前記の付加機能部として、音声による信号音を事前録音、新たに信号音を発した場合、それぞれの信号音波形との比較合致によりランプを順次点灯、消灯させる、音声リモコンランプ機能を特徴とする電気スタンド。
【請求項６】
前記の付加機能部として、操作ボタン信号により識別符号を含む微弱電波を発信させ別途準備した電池式小型受信機が当該電波を受信した場合、受信機内のブザーを識別符号に応じて鳴動させる、ナースコール機能を特徴とする電気スタンド。
【請求項７】
前記の付加機能部として、別途準備した日替わりメッセージを録音した電子メモリーカードを装着、時計のタイマー信号により録音されたメッセージを日替わり再生させた。日替わり再生されたメッセージは、操作ボタン信号にて任意に反復再生停止させることが出来る、日替わりメッセージ目覚し機能を特徴とする電気スタンド。
【請求項８】
前記の付加機能部として、箱の中に投入したコイン数と、日々の投入目標コイン数を常に比較して投入コイン数が不足した場合、不足数に対応したアラーム表示によりコイン投入を促す、催促貯金箱機能を特徴とする電気スタンド。
【請求項９】
前記の付加機能部として、タイマー式恒温アロマオイル蒸発装置による、アロマ芳香機能を特徴とする電気スタンド。
【請求項１０】
前記の付加機能部として、タイマーにより自動消灯する、ランプ消し忘れ防止機能を特徴とする電気スタンド。
【手続補正２】
【補正対象書類名】明細書
【補正対象項目名】全文
【補正方法】変更
【補正の内容】
【発明の詳細な説明】
【発明の名称】多機能電気スタンド
【技術分野】
【０００１】本発明は一般家庭用の電気スタンドに関する。
【背景技術】
【０００２】従来の電気スタンドには、目覚し時計及びラジオ等と複合搭載した事例は存在するが、付加機能部としてラジオ以外の地震検知ランプ、在宅偽装ランプ、オゾン消臭除菌、ボイスメモ目覚し、音声リモコンランプ、日替わりメッセージ目覚し、ナースコール、催促貯金箱、アロマ芳香、消し忘れ防止ランプの各装置と複合搭載した公知例はない。
【発明の開示】
【発明が解決しようとする課題】
【０００３】従来の電気スタンドの多くは照明のみの単機能商品であり、常時電源と接続されていながら使用頻度が低く不経済である。
本発明はタッチ式点滅ランプ及び、目覚し時計を具備した構造を共通として、時計表示部と操作ボタンとの連携接続された該付加機能部を、それぞれに搭載した多機能電気スタンドを提供することを目的とする。
【課題を解決するための手段】
【０００４】前記の付加機能部である地震検知ランプ装置としては、図２に示すとおり曲面反射型振り子１０と、反射型フォトインタラプタ１１及び、ゆれ検知器１２との組合せにより、全方位均等なゆれ検知感度を実現、地震発生と同時にタイマー１３によりランプ６を３０秒程度自動点灯させた。【０００５】前記の付加機能部である在宅偽装ランプ装置としては、図３に示すとおり光センサーＡ１４と昼夜判別器１５及び、夜間記憶器１６との組合せによりランダム発生器１７を起動、夜間のみ自動的にランプ６を不規則点滅させた。【０００６】前記の付加機能部であるオゾン消臭除菌装置としては、図４に示すとおり時計のタイマー信号または操作ボタン信号で、タイマー１８を一定時間作動させることにより、連結接続された高電圧発生器２１及びオゾン発生板２２にてオゾンを発生させ、発生したオゾンは内部ファンＡ２３により通気孔４を経由して本体外へ放出させた。操作ボタン信号にては時計のタイマー信号に優先して、オゾンを任意に発生停止させることを可能としたが、いずれの場合も、安全のため光センサーＢ１９及び、明暗判別器２０により、暗所ではオゾンを発生させないことにした。【０００７】前記の付加機能部であるボイスメモ目覚し装置としては、図５に示すとおり３０秒程度のボイスレコーダー２６を具備し、マイクロホンＡ２５を通して録音された音声などを、時計のタイマー信号により自動再生させた。操作ボタン信号にでは時計のタイマー信号に優先して録音された音声などを任意に反復再生、停止させることを可能にした。【０００８】前記の付加機能部である音声リモコンランプ装置としては、図６に示すとおり１０秒程度の信号音レコーダーＡ３１及び信号音レコーダーＢ３２を具備し、録音ボタンＢ２９によりマイクロホンＢ３０を通した音声による信号音を信号音レコーダーＡ３１に事前録音、新たに信号音が発せられた場合には、マイクロホンＢ３０と常時接続された信号音レコーダーＢ３２に録音され、同時に信号音比較器３３にて両信号を比較合致した場合にのみランプ６を順次点灯、消灯させた。【０００９】前記の付加機能部であるナースコール装置としては、図７に示すとおり微弱電波発信機３４を具備し、操作ボタン信号により識別符号を含む微弱電波を発信させた。外部には別途準備した電池式小型受信機３５を常時作動させ、当該電波を受信した場合、内臓ブザーを識別符号に応じて鳴動をさせた。【００１０】前記の付加機能部である日替わりメッセージ目覚し装置としては、図８に示すとおりメモリーカード再生機３７を具備し、別途準備した１〜３分間程度のメッセージを、１００〜３００日分程度録音された電子メモリーカード３６を、メモリーカード再生機３７に装着、時計のタイマー信号により、録音されたメッセージを日替わり再生させた。日替わり再生されたメッセージは、操作ボタン信号にて任意に反復再生、停止を可能とした。【００１１】前記の付加機能部である催促貯金箱装置としては、図９に示すとおり貯金箱４０にコイン通過センサー４１及び、電気錠付きフタ４２を具備し、コインが投入された場合カウンターＡ４３が回数を記憶、カウンターＢ４４が時計のタイマー信号回数を記憶、両カウンターの記憶回数を比較器４５にて比較させ、コイン数のカウントが不足した場合は、アラーム発生器４６により不足数に応じたアラームを時計表示部７に常時表示させた。この状態でコインを投入すれば、コインの不足数に応じたアラーム表示に修正され、コイン数が初期目標値に到達した場合にのみ、時計表示部７に目標達成アラームを表示させた。この時、操作ボタン信号にて貯金箱４０の電気錠付きフタ４２は開錠可能となり、同時に各カウンターもリセットされるが、必要により時計のタイマー信号と操作ボタン信号との組合せにても、貯金箱の開錠を可能とした。【００１２】前記の付加機能部であるアロマ芳香装置としては、図１０に示すとおり別途準備した噴霧式アロマオイルボトル４７をモーター駆動部４８に装着、時計のタイマー信号または、操作ボタン信号にてタイマー４９を作動させることにより、恒温ヒーター５０に通電、同時にギアモーター５１を駆動して数滴量のアロマオイルを蒸発皿５２に滴下蒸発させ、蒸発したアロマ気体はファンＢ５３により通気孔４から本体外へ放出させた。【００１３】前記の付加機能部であるランプ消し忘れ防止装置としては、図１１に示すとおりタッチ式点滅ランプ回路５４、５５、５６，５７，に於いて、トグルスイッチ５６の出力でタイマー（３０分）５８を起動させ、一定時間を経過した場合トグルスイッチ５６を強制的にリセットしてランプを消灯させた。
【発明の効果】
【００１４】本発明である地震検知ランプ装置としては、就寝中に地震が発生した場合に電気スタンドのランプが自動点灯することにより、就寝者の不安感を和らげ、危険回避の行動をとることが出来る。【００１５】本発明である在宅偽装ランプ装置としては、夜間のみランプを自動的に不規則点滅させることにより、留守宅を在宅のように装う防犯効果及び、電気スタンドを他の目的に転用する経済性がある。【００１６】本発明であるオゾン消臭除菌装置としては、オゾンの強い酸化力により悪臭の無臭化、有害物質の無害化及び、害虫類の繁殖抑制、忌避効果による部屋全体の無人自動洗浄が出来る。またオゾンには科学薬品のような残留性が無く、人や地球環境にやさしい消臭除菌方法となる。【００１７】本発明であるボイスメモ目覚し装置としては、就寝時に思いついた用件を翌朝になると忘れることが多く、用件をメモ代わりに音声で録音し、目覚しタイマーにて再生すれば用件を忘れることは無くなり、他人からの伝言としても利用できる。【００１８】本発明である音声リモコンランプ装置としては、舌打ちなど単純な信号音を発生させることにより肢体不自由な人々が、健常者と同じように電気スタンドのランプを点灯、消灯することが可能となり、健常者としても離れた場所にある電気スタンドのランプを点灯、消灯することが可能となる。【００１９】本発明であるナースコール装置としては、微弱電波発信機と電池式小型受信機の組合せにより、就床者が簡単に介護者を呼ぶことが可能となり、介護者も呼ばれた時に対応できるため、双方に安心感があり気が楽になる。【００２０】本発明である日替わりメッセージ目覚し装置としては、別途録音された詩歌、格言、人性訓、信仰句などの再生朗読で目覚め、就寝時に再度聞きながら一日を反省する生活により、心に安らぎと活力を与えることが出来る。【００２１】本発明である催促貯金箱装置としては、初期のコイン投入目標数に対して、日々の貯金箱への投入コイン数との間に不足が発生した場合、不足数に対応した赤色アラームランプの点滅により常時催促され、必然的に目標額の貯金が達成されることになる。【００２２】本発明であるアロマ芳香装置としては、アロマオイルの精神的作用である就寝時のリラックス効果や起床時のリフレッシュ効果を、安全で簡単に楽しむ事が出来る。【００２３】本発明であるランプ消し忘れ防止装置としては、読書中に寝込んでしまっても一定時間後にランプが自動的に消灯され、安全かつ消費電力の無駄が改善される。
【図面の簡単な説明】
【００２４】
【図１】本発明の電気スタンドの一例を示す斜視図
【図２】付加機能部である地震検知ランプ装置の回路ブロック図
【図３】付加機能部である在宅偽装ランプ装置の回路ブロック図
【図４】付加機能部であるオゾン消臭除菌装置の回路ブロック図
【図５】付加機能部であるボイスメモ目覚し装置の回路ブロック図
【図６】付加機能部である音声リモコンランプ装置の回路ブロック図
【図７】付加機能部であるナースコール装置の回路ブロック図
【図８】付加機能部であるメッセージ目覚し装置の回路ブロック図
【図９】付加機能部である催促貯金箱装置の回路ブロック図
【図１０】付加機能部であるアロマ芳香装置のブロック図
【図１１】付加機能部であるランプ消し忘れ防止装置の回路ブロック図
【符号の説明】
【００２５】  １：ベース    ２：本体    ３：支柱兼タッチセンサー    ４：通気孔
５：シェード    ６：ランプ    ７：時計表示部    ８：操作ボタン
９：付加機能部    １０：曲面反射型振り子    １１：反射型フォトインタラプタ
１２：ゆれ検知器    １３：タイマー（３０秒）    １４：光センサーＡ
１５：昼夜判別器    １６：夜間記憶器    １７：ランダム発生器
１８：タイマー（２時間）    １９：光センサーＢ    ２０：明暗判別器
２１：高電圧発生器    ２２：オゾン発生板    ２３：ファンＡ
２４：録音ボタンＡ    ２５：マイクロホンＡ    ２６：ボイスレコーダー（３０秒）
２７：アンプＡ    ２８：スピーカーＡ    ２９：録音ボタンＢ
３０：マイクロホンＢ    ３１：信号音レコーダーＡ    ３２：信号音レコーダーＢ
３３：信号比較器    ３４：微弱電波発信機    ３５：電池式受信機
３６：電子メモリーカード    ３７：メモリーカード再生機    ３８：アンプＢ
３９：スピーカーＢ    ４０：貯金箱    ４１：コイン通過センサー
４２：電気錠付きフタ    ４３：カウンターＡ    ４４：カウンターＢ
４５：比較器    ４６：アラーム発生器    ４７：噴霧式アロマボトル
４８：モーター駆動部    ４９：タイマー（１０分）    ５０：恒温ヒーター
５１：モーターギア    ５２：蒸発皿    ５３：ファンＢ
５４：ノイズアンプ    ５５：波形整形器    ５６：トグルスイッチ
５７：ランプドライバー    ５８：タイマー（３０分）
【手続補正３】
【補正対象書類名】図面
【補正対象項目名】図１１
【補正方法】追加
【補正の内容】
【図１１】
2009295562.tif 000001